(57)【要約】【課題】器具本体と光源ユニットとの組み合わせの自由度を高めることができる保持部材、器具本体、取付部材、及び光源ユニットを提供する。【解決手段】保持部材３Ａは、本体側固定部３１Ａと、本体側保持部３２Ａと、を備えている。本体側固定部３１Ａは、器具本体１Ａに固定される。本体側保持部３２Ａは、光源ユニット２Ａ（又は２Ｂ）が取り付けられる。本体側保持部３２Ａは、第１取付規格に対応した第１本体側接続部３３Ａと、第２取付規格に対応した第２本体側接続部３４Ａと、を有する。第１本体側接続部３３Ａは、第１取付規格に対応し光源ユニット２Ａに設けられた第１光源側接続部４３Ａと機械的に接続可能である。第２本体側接続部３４Ａは、第２取付規格に対応し光源ユニット２Ｂに設けられた第２光源側接続部４４Ａと機械的に接続可能である。【選択図】図１
2019153511.tif 000002
【特許請求の範囲】
【請求項１】
器具本体に固定される本体側固定部と、
光源ユニットが取り付けられる本体側保持部と、を備え、
前記本体側保持部は、第１の取付規格に対応した第１の本体側接続部と、第２の取付規格に対応した第２の本体側接続部と、を有し、
前記第１の本体側接続部は、前記第１の取付規格に対応し前記光源ユニットに設けられた第１の光源側接続部と機械的に接続可能であり、
前記第２の本体側接続部は、前記第２の取付規格に対応し前記光源ユニットに設けられた第２の光源側接続部と機械的に接続可能である
保持部材。
【請求項２】
前記第１の本体側接続部は、前記第２の本体側接続部を兼用しており、前記第１の光源側接続部と前記第２の光源側接続部との両方と機械的に接続可能である
請求項１に記載の保持部材。
【請求項３】
前記本体側固定部は、前記第１の本体側接続部に前記第１の光源側接続部が機械的に接続される場合と、前記第２の本体側接続部に前記第２の光源側接続部が機械的に接続される場合とで、前記器具本体に固定される位置と向きとの少なくとも一方が互いに異なる
請求項１又は２に記載の保持部材。
【請求項４】
第１の取付規格に対応する第１の本体側接続部を有する器具本体に固定される本体側固定部と、
光源ユニットが取り付けられる本体側保持部と、を備え、
前記第１の本体側接続部は、前記第１の取付規格に対応し前記光源ユニットに設けられた第１の光源側接続部と機械的に接続可能であり、
前記本体側保持部は、第２の取付規格に対応した第２の本体側接続部を有し、
前記第２の本体側接続部は、前記第２の取付規格に対応し前記光源ユニットに設けられた第２の光源側接続部と機械的に接続可能である
保持部材。
【請求項５】
請求項１〜４のいずれか１項に記載の保持部材と、
前記保持部材が固定された本体固定部と、を備える
器具本体。
【請求項６】
光源ユニットに固定される光源側固定部と、
器具本体に取り付けられる光源側取付部と、を備え、
前記光源側取付部は、第１の取付規格に対応した第１の光源側接続部と、第２の取付規格に対応した第２の光源側接続部と、を有し、
前記第１の光源側接続部は、前記第１の取付規格に対応し前記器具本体に設けられた第１の本体側接続部と機械的に接続可能であり、
前記第２の光源側接続部は、前記第２の取付規格に対応し前記器具本体に設けられた第２の本体側接続部と機械的に接続可能である
取付部材。
【請求項７】
前記第１の光源側接続部は、前記第２の光源側接続部を兼用しており、前記第１の本体側接続部と前記第２の本体側接続部との両方と機械的に接続可能である
請求項６に記載の取付部材。
【請求項８】
前記光源側固定部は、前記第１の光源側接続部に前記第１の本体側接続部が機械的に接続される場合と、前記第２の光源側接続部に前記第２の本体側接続部が機械的に接続される場合とで、前記光源ユニットに固定される位置が互いに異なる
請求項６又は７に記載の取付部材。
【請求項９】
第１の取付規格に対応する第１の光源側接続部を有する光源ユニットに固定される光源側固定部と、
器具本体に取り付けられる光源側取付部と、を備え、
前記第１の光源側接続部は、前記第１の取付規格に対応し前記器具本体に設けられた第１の本体側接続部と機械的に接続可能であり、
前記光源側取付部は、第２の取付規格に対応した第２の光源側接続部を有し、
前記第２の光源側接続部は、前記第２の取付規格に対応し前記器具本体に設けられた第２の本体側接続部と機械的に接続可能である
取付部材。
【請求項１０】
請求項６〜９のいずれか１項に記載の取付部材と、
前記取付部材が固定された光源固定部と、を備える
が固定された光源ユニット。
【発明の詳細な説明】
【技術分野】
【０００１】
本開示は、一般に保持部材、器具本体、取付部材、及び光源ユニットに関し、より詳細には光源ユニットを保持する保持部材及び器具本体、器具本体に保持される取付部材及び光源ユニットに関する。
【背景技術】
【０００２】
従来、器具本体と光源モジュール（光源ユニット）とを備える照明器具が知られている（例えば特許文献１参照）。特許文献１の照明器具は、光源モジュールを下方に向けた状態で器具本体が室内の天井に取り付けられる。器具本体は、光源モジュールを支持する。
【先行技術文献】
【特許文献】
【０００３】
【特許文献１】特開２０１４−２２９６００号公報
【発明の概要】
【発明が解決しようとする課題】
【０００４】
器具本体と光源ユニットとの取付規格として、第１の取付規格と第２の取付規格との２種類の取付規格があった場合、第１の取付規格に対応した器具本体に、第２の取付規格に対応した光源ユニットを取り付けることができなかった。そのため、同一の取付規格同士の器具本体と光源ユニットとの組み合わせしか使用できなかった。
【０００５】
本開示は、上記事由に鑑みてなされており、その目的は、器具本体と光源ユニットとの組み合わせの自由度を高めることができる保持部材、器具本体、取付部材、及び光源ユニットを提供することにある。
【課題を解決するための手段】
【０００６】
本開示の一態様に係る保持部材は、本体側固定部と、本体側保持部と、を備えている。前記本体側固定部は、器具本体に固定される。前記本体側保持部は、光源ユニットが取り付けられる。前記本体側保持部は、第１の取付規格に対応した第１の本体側接続部と、第２の取付規格に対応した第２の本体側接続部と、を有する。前記第１の本体側接続部は、前記第１の取付規格に対応し前記光源ユニットに設けられた第１の光源側接続部と機械的に接続可能である。前記第２の本体側接続部は、前記第２の取付規格に対応し前記光源ユニットに設けられた第２の光源側接続部と機械的に接続可能である。
【０００７】
本開示の一態様に係る保持部材は、本体側固定部と、本体側保持部と、を備える。前記本体側固定部は、第１の取付規格に対応する第１の本体側接続部を有する器具本体に固定される。前記本体側保持部は、光源ユニットが取り付けられる。前記第１の本体側接続部は、第１の取付規格に対応し前記光源ユニットに設けられた第１の光源側接続部と機械的に接続可能である。前記本体側保持部は、第２の取付規格に対応した第２の本体側接続部を有する。前記第２の本体側接続部は、前記第２の取付規格に対応し前記光源ユニットに設けられた第２の光源側接続部と機械的に接続可能である。
【０００８】
本開示の一態様に係る器具本体は、前記保持部材と、前記保持部材が固定された本体固定部と、を備える。
【０００９】
本開示の一態様に係る取付部材は、光源側固定部と、光源側取付部と、を備える。前記光源側固定部は、光源ユニットに固定される。前記光源側取付部は、器具本体に取り付けられる。前記光源側取付部は、第１の取付規格に対応した第１の光源側接続部と、第２の取付規格に対応した第２の光源側接続部と、を有する。前記第１の光源側接続部は、前記第１の取付規格に対応し前記器具本体に設けられた第１の本体側接続部と機械的に接続可能である。前記第２の光源側接続部は、前記第２の取付規格に対応し前記器具本体に設けられた第２の本体側接続部と機械的に接続可能である。
【００１０】
本開示の一態様に係る取付部材は、光源側固定部と、光源側取付部と、を備える。前記光源側固定部は、第１の取付規格に対応する第１の光源側接続部を有する光源ユニットに固定される。前記光源側取付部は、器具本体に取り付けられる。前記第１の光源側接続部は、前記第１の取付規格に対応し前記器具本体に設けられた第１の本体側接続部と機械的に接続可能である。前記光源側取付部は、第２の取付規格に対応した第２の光源側接続部を有する。前記第２の光源側接続部は、第２の取付規格に対応し前記器具本体に設けられた第２の本体側接続部と機械的に接続可能である。
【００１１】
本開示の一態様に係る光源ユニットは、前記取付部材と、前記取付部材が固定された光源固定部と、を備える。
【発明の効果】
【００１２】
本開示では、器具本体と光源ユニットとの組み合わせの自由度を高めることができる。
【図面の簡単な説明】
【００１３】
【図１】図１Ａは、本開示の実施形態１に係る器具本体及び保持部材と光源ユニットとを備える照明器具の分解斜視図である。図１Ｂは、同上の保持部材の斜視図である。
【図２】図２Ａは、同上の器具本体及び保持部材と別の光源ユニットとを備える照明器具の分解斜視図である。図２Ｂは、同上の保持部材の斜視図である。
【図３】図３は、同上の保持部材の別構成の斜視図である。
【図４】図４Ａは、実施形態１の第１変形例に係る保持部材の斜視図である。図４Ｂは、同上の保持部材が第１位置に固定される器具本体の分解斜視図である。図４Ｃは、同上の保持部材が第２位置に固定される器具本体の分解斜視図である。
【図５】図５Ａは、実施形態１の第２変形例に係る保持部材の第１取付状態の斜視図である。図５Ｂは、同上の保持部材の第２取付状態の斜視図である。
【図６】図６Ａは、本開示の実施形態２に係る器具本体及び保持部材と光源ユニットとを備える照明器具の分解斜視図である。図６Ｂは、同上の保持部材の斜視図である。
【図７】図７Ａは、同上の器具本体及び保持部材と別の光源ユニットとを備える照明器具の分解斜視図である。図７Ｂは、同上の保持部材の斜視図である。
【図８】図８Ａは、実施形態２の第１変形例に係る保持部材が第１位置に固定される器具本体の分解斜視図である。図８Ｂは、同上の保持部材が第２位置に固定される器具本体の分解斜視図である。図８Ｃは、実施形態２の第２変形例に係る保持部材が固定される器具本体の分解斜視図である。
【図９】図９Ａは、本開示の実施形態３に係る器具本体及び保持部材と光源ユニットとを備える照明器具の分解斜視図である。図９Ｂは、同上の保持部材の斜視図である。
【図１０】図１０は、実施形態３の第１変形例に係る保持部材の斜視図である。
【図１１】図１１は、本開示の実施形態４に係る器具本体及び保持部材と光源ユニットとを備える照明器具の分解斜視図である。
【図１２】図１２Ａは、本開示の実施形態５に係る光源ユニット及び取付部材と器具本体とを備える照明器具の分解斜視図である。図１２Ｂは、同上の取付部材の斜視図である。
【図１３】図１３Ａは、同上の光源ユニット及び取付部材と別の器具本体とを備える照明器具の分解斜視図である。図１３Ｂは、同上の取付部材の斜視図である。
【図１４】図１４Ａは、実施形態５の第１変形例に係る取付部材の斜視図である。図１４Ｂは、同上の取付部材が第１位置に固定される光源ユニットの分解斜視図である。図１４Ｃは、同上の取付部材が第２位置に固定される光源ユニットの分解斜視図である。
【図１５】図１５Ａは、本開示の実施形態６に係る光源ユニット及び取付部材と器具本体とを備える照明器具の分解斜視図である。図１５Ｂは、同上の取付部材の斜視図である。
【図１６】図１６Ａは、同上の光源ユニット及び取付部材と別の器具本体とを備える照明器具の分解斜視図である。図１６Ｂは、同上の取付部材の斜視図である。
【図１７】図１７Ａは、実施形態６の第１変形例に係る取付部材の斜視図である。図１８Ｂは、同上の取付部材が第１位置に固定される光源ユニットの分解斜視図である。図１８Ｃは、同上の取付部材が第２位置に固定される光源ユニットの分解斜視図である。
【図１８】図１８Ａは、本開示の実施形態７に係る光源ユニット及び取付部材と器具本体とを備える照明器具の分解斜視図である。図１８Ｂは、同上の取付部材の斜視図である。
【図１９】図１９Ａは、本開示の実施形態８に係る光源ユニット及び取付部材と器具本体とを備える照明器具の分解斜視図である。図１９Ｂは、同上の取付部材の斜視図である。
【発明を実施するための形態】
【００１４】
（実施形態１）
図１Ａ，２Ａに示すように、本実施形態に係る保持部材３Ａは、器具本体１Ａと、光源ユニット２Ａ（図１Ａ参照）又は光源ユニット２Ｂ（図２Ａ参照）とを有する照明器具１０に用いられる。保持部材３Ａは、器具本体１Ａに設けられ、光源ユニット２Ａ又は光源ユニット２Ｂを保持する。
【００１５】
以下に説明する照明器具１０は、天井に取り付けられる場合を例示するが、壁などの天井以外の場所に取り付けられてもよい。以下の説明では、特に断りのない限り、図１Ａに示す向きにおいて、光源ユニット２Ａ及び照明器具１０の上下、左右、前後の各方向を規定する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１６】
保持部材３Ａは、器具本体１Ａに設けられる。保持部材３Ａは、光源ユニット２Ａ又は光源ユニット２Ｂを保持するように構成されている。
【００１７】
保持部材３Ａは、本体側固定部３１Ａと、本体側保持部３２Ａと、を備えている。本体側固定部３１Ａは、器具本体１Ａに固定される。本体側保持部３２Ａは、光源ユニット２Ａ（又は２Ｂ）が取り付けられる。本体側保持部３２Ａは、第１取付規格（第１の取付規格）に対応した第１本体側接続部３３Ａ（第１の本体側接続）と、第２取付規格（第２の取付規格）に対応した第２本体側接続部３４Ａ（第２の本体側接続部）と、を有する。第１本体側接続部３３Ａは、第１取付規格に対応し光源ユニット２Ａに設けられた第１光源側接続部４３Ａ（第１の光源側接続部）と機械的に接続可能である。第２本体側接続部３４Ａは、第２取付規格に対応し光源ユニット２Ｂに設けられた第２光源側接続部４４Ａ（第２の光源側接続部）と機械的に接続可能である。
【００１８】
ここでいう取付規格とは、光源ユニットを器具本体に取り付けるための構造において、予め定められた形状、寸法等の標準である。器具本体の取付規格と、光源ユニットの取付規格とが対応（一致）している場合、器具本体に光源ユニットを取り付けることができる。本実施形態の保持部材３Ａは、第１取付規格に対応した第１本体側接続部３３Ａと、第２取付規格に対応した第２本体側接続部３４Ａと、を有している。したがって、器具本体１Ａに、第１取付規格に対応した光源ユニット２Ａと、第２の取付規格に対応した光源ユニット２Ｂとを択一的に取り付けることができ、器具本体１Ａと光源ユニット２Ａ，２Ｂとの組み合わせの自由度を高めることができる。
【００１９】
まず、照明器具１０における器具本体１Ａ及び光源ユニット２Ａの基本構成について図１Ａを参照して説明する。
【００２０】
器具本体１Ａは、天井から突出した吊りボルトにナットを用いて固定され、天井に直付けされる。器具本体１Ａは、板金に曲げ加工を施すことで長尺かつ上面（天井との対向面）が開口する扁平な箱状に形成される。器具本体１Ａの天井と反対側（下側）には、光源ユニット２Ａを収容するための矩形の凹部１１が器具本体１Ａの長手方向（左右方向）の全長に亘って設けられている。器具本体１Ａの短手方向（前後方向）における凹部１１の両側には、それぞれ傾斜部１２が設けられている。傾斜部１２は、凹部１１の開口端縁から器具本体１Ａの短手方向（前後方向）に延出し、かつ、外側に向かって上方へ傾斜している。
【００２１】
凹部１１は、長尺の矩形板状に形成された底板１１１と、底板１１１の長手方向に沿った両端（前端及び後端）から下向きに突出する一対の側板１１２とを有している。器具本体１Ａの前方の側板１１２には、一対の引掛孔１１３が形成されている。引掛孔１１３は、矩形状に形成されている。
【００２２】
光源ユニット２Ａは、器具本体１Ａ（保持部材３Ａ）に対して着脱可能に取り付けられる。光源ユニット２Ａは、複数（例えば、２つ）のＬＥＤ（Light Emitting Diode）モジュールと、カバー２１と、を備える。
【００２３】
複数のＬＥＤモジュールは、左右方向に長い矩形板状の底板２２の下面に固定され、カバー２１で覆われている。複数のＬＥＤモジュールは、長手方向（左右方向）に並んで配置されている。各ＬＥＤモジュールは、左右方向に長い矩形板状に形成された基板を有する。基板の下面には、複数の発光素子が長手方向（左右方向）に沿い、かつ１列に並べて実装されている。
【００２４】
カバー２１は、光拡散性を有する材料（例えば乳白色のアクリル樹脂）により上面（ＬＥＤモジュール側の面）が開口する長尺の箱形に形成されている。カバー２１は、前後方向（幅方向）において両端から中央に行くほど下方への突出量が大きくなるような凸レンズ形状の曲面部２１１を有している。カバー２１は、ＬＥＤモジュールを固定する底板２２の左右方向に沿った両端から上向きに突出する一対の側板の上端に引っ掛けられる。
【００２５】
光源ユニット２Ｂ（図２Ａ）は、光源ユニット２Ａ（図１Ａ参照）と基本構成が同様であり、共通構成には同一の符号を付す。光源ユニット２Ａと光源ユニット２Ｂとは、取付規格が互いに異なる。
【００２６】
光源ユニット２Ａは、第１取付規格に対応している。具体的には、光源ユニット２Ａは、第１取付規格に対応した取付部材４Ａを備えている（図１Ａ参照）。取付部材４Ａは、第１光源側接続部４３Ａを備えている。第１光源側接続部４３Ａは、光源側引掛部４３１Ａ，４３２Ａを有している。
【００２７】
光源側引掛部４３１Ａは、先端が鉤形に形成された引掛金具である。光源側引掛部４３１Ａは、光源ユニット２Ａにおける底板２２（光源固定部）の上面に設けられている。光源側引掛部４３１Ａは、先端部分（上端部分）が、底板２２の前端から上向きに突出した側板２３の上を乗り越えるように形成されている。また、光源側引掛部４３１Ａは、底板２２に対して前後方向にスライド移動可能に構成されている。光源側引掛部４３１Ａは、器具本体１Ａの引掛孔１１３に差し込まれた先端を引掛孔１１３の縁に引っ掛けられる。
【００２８】
光源側引掛部４３２Ａは、ねじりコイルばねで構成されている。光源側引掛部４３２Ａは、光源ユニット２Ａにおける底板２２の上面に設けられている。光源側引掛部４３２Ａは、光源側引掛部４３１Ａの後側に並んで設けられている。光源側引掛部４３２Ａは、一方の端部が、上方に引き出されている。光源側引掛部４３２Ａは、後述する保持部材３Ａの本体側受け部３３１Ａに引っ掛けられる。
【００２９】
光源ユニット２Ａは、複数（ここでは２つ）の取付部材４Ａを備えている。２つの取付部材４Ａは、光源ユニット２Ａにおける底板２２の上面において、左右両端の近傍に設けられている。
【００３０】
光源ユニット２Ｂは、第２取付規格に対応している。具体的には、光源ユニット２Ｂは、第２取付規格に対応した取付部材４Ｂを備えている（図２Ａ参照）。取付部材４Ｂは、第２光源側接続部４４Ｂを備えている。第２の光源側接続部４４Ｂは、光源側引掛部４４１Ｂを有している。
【００３１】
光源側引掛部４４１Ｂは、ダブルトーションばねで構成されている。光源側引掛部４４１Ｂは、光源ユニット２Ｂにおける底板２２の上面に設けられている。光源側引掛部４４１Ｂは、後述する保持部材３Ａの本体側受け部３４１Ａに引っ掛けられる。
【００３２】
光源ユニット２Ｂは、複数（ここでは２つ）の取付部材４Ｂを備えている。２つの取付部材４Ｂは、光源ユニット２Ｂにおける底板２２の上面において、左右両端の近傍に設けられている。
【００３３】
本実施形態の器具本体１Ａは、第１取付規格と第２取付規格との両方に対応している。具体的には、第１取付規格と第２取付規格とに対応した保持部材３Ａを備えている。
【００３４】
保持部材３Ａは、本体側固定部３１Ａと、本体側保持部３２Ａと、を備えている。保持部材３Ａは、板金に抜き加工、及び曲げ加工を施すことにより形成されている。
【００３５】
本体側固定部３１Ａは、矩形板状に形成されている。本体側固定部３１Ａは、器具本体１に固定される。具体的には、本体側固定部３１Ａは、器具本体１における凹部１１の底板１１１（本体固定部）の下面に、ねじ等で固定される。
【００３６】
本体側保持部３２Ａは、第１本体側接続部３３Ａと、第２本体側接続部３４Ａとを有している。第１本体側接続部３３Ａと第２本体側接続部３４Ａとは、対応する取付規格が互いに異なる。第１本体側接続部３３Ａは、第１取付規格に対応している。第２本体側接続部３４Ａは、第２取付規格に対応している。
【００３７】
第１本体側接続部３３Ａは、光源ユニット２Ａに設けられた取付部材４Ａの第１光源側接続部４３Ａと機械的に接続される。本体側保持部３２Ａは、第１本体側接続部３３Ａが取付部材４Ａの第１光源側接続部４３Ａと機械的に接続されることにより光源ユニット２Ａを保持する。
【００３８】
第２本体側接続部３４Ａは、光源ユニット２Ｂに設けられた取付部材４Ｂの第２光源側接続部４４Ｂと機械的に接続される。本体側保持部３２Ａは、第２本体側接続部３４Ａが取付部材４Ｂの第２光源側接続部４４Ｂと機械的に接続されることにより光源ユニット２Ｂを保持する。
【００３９】
第１本体側接続部３３Ａは、本体側受け部３３１Ａを有する。本体側受け部３３１Ａは、本体側固定部３１Ａの後端から下方に突出した側片３３２Ａと、側片３３２Ａの下端から前方に突出した引掛片３３３Ａと、引掛片３３３Ａに形成された引掛孔３３４Ａと、を有する。図１Ｂに示すように、本体側受け部３３１Ａには、光源ユニット２Ａの光源側引掛部４３２Ａが引掛けられる。具体的には、本体側受け部３３１Ａの引掛孔３３４Ａに光源側引掛部４３２Ａが通される。
【００４０】
第２本体側接続部３４Ａは、本体側受け部３４１Ａを有する。本体側受け部３４１Ａは、本体側固定部３１Ａの左端又は右端から下方に突出した側片３４２Ａと、側片３４２Ａに形成された引掛孔３４３Ａと、側片３４２Ａにおける引掛孔３４３Ａの下端から上方に突出した引掛片３４４Ａと、を有する。図２Ｂに示すように、本体側受け部３４１Ａには、光源ユニット２Ｂの光源側引掛部４４１Ｂが引掛けられる。具体的には、本体側受け部３４１Ａの引掛孔３４３Ａに光源側引掛部４４１Ｂが通される。
【００４１】
器具本体１Ａは、複数（ここでは２つ）の保持部材３Ａを備えている。２つの保持部材３Ａは、凹部１１の底板１１１において、左右両端の近傍に設けられている。
【００４２】
次に、器具本体１Ａに、光源ユニット２Ａ及び光源ユニット２Ｂを取り付ける方法について説明する。
【００４３】
器具本体１Ａに、光源ユニット２Ａを取り付ける場合、取付部材４Ａの光源側引掛部４３１Ａを器具本体１Ａの引掛孔１１３に引っ掛け、光源側引掛部４３２Ａを保持部材３Ａの本体側受け部３３１Ａに引っ掛ける。これにより、光源ユニット２Ａが器具本体１Ａに仮吊りされた状態となる。この状態で、光源ユニット２Ａが器具本体１Ａに向かって上方に押し込まれることにより、光源ユニット２Ａが器具本体１Ａ（保持部材３Ａ）に保持される。
【００４４】
器具本体１Ａに、光源ユニット２Ｂを取り付ける場合、取付部材４Ｂの光源側引掛部４４１Ｂを、保持部材３Ａの本体側受け部３４１Ａに引っ掛ける。これにより、光源ユニット２Ｂが器具本体１Ａに仮吊りされた状態となる。この状態で、光源ユニット２Ｂが器具本体１Ａに向かって上方に押し込まれることにより、光源ユニット２Ｂが器具本体１Ａ（保持部材３Ａ）に保持される。
【００４５】
このように、本実施形態の保持部材３Ａは、第１取付規格に対応した第１本体側接続部３３Ａと、第２取付規格に対応した第２本体側接続部３４Ａと、を有している。したがって、保持部材３Ａを備えた器具本体１Ａに、第１取付規格に対応した第１光源側接続部４３Ａを有する光源ユニット２Ａと、第２取付規格に対応した第２光源側接続部４４Ｂを有する光源ユニット２Ｂとを択一的に取り付けることができる。これにより、器具本体１Ａと光源ユニット２Ａ，２Ｂとの組み合わせの自由度を高めることができる。
【００４６】
なお、図３に示すように、保持部材３Ａの第１本体側接続部３３Ａは、本体側受け部３３５Ａを更に備えていてもよい。本体側受け部３３５Ａは、本体側固定部３１Ａの前端から下方に突出した側片３３６Ａと、側片３３６Ａに形成された矩形状の引掛孔３３７Ａと、を有する。本体側受け部３３５Ａには、光源ユニット２Ａにおける第１光源側接続部４３Ａの光源側引掛部４３１Ａ（図１Ａ参照）が引掛けられる。これにより、器具本体１Ａに引掛孔１１３が設けられていない場合であっても、光源ユニット２Ａを器具本体１Ａに取り付けることができる。
【００４７】
（第１変形例）
次に、実施形態１の第１変形例に係る保持部材３Ａａについて図４Ａ〜４Ｃを参照して説明する。
【００４８】
図１Ａ，２Ａに示すように、光源ユニット２Ａにおける２つの取付部材４Ａの間隔Ｌ１は、光源ユニット２Ｂにおける２つの取付部材４Ｂの間隔Ｌ２よりも短い。実施形態１の保持部材３Ａは、器具本体１Ａに対する位置が固定された状態で、第１取付規格に対応した光源ユニット２Ａと、第２取付規格に対応した光源ユニット２Ｂとを択一的に保持可能に構成されている。
【００４９】
本変形例の保持部材３Ａａは、器具本体１Ａに対して固定される位置が可変となるように構成されている。本変形例の保持部材３Ａａは、器具本体１Ａに第１取付規格の光源ユニット２Ａを取り付ける場合と、器具本体１Ａに第２取付規格の光源ユニット２Ｂを取り付ける場合とで、器具本体１Ａに固定される位置が互いに異なる。つまり、本体側固定部３１Ａは、第１本体側接続部３３Ａに第１光源側接続部４３Ａが機械的に接続される場合と、第２本体側接続部３４Ａに第２光源側接続部４４Ｂが機械的に接続される場合とで、器具本体１Ａに固定される位置が互いに異なる。
【００５０】
保持部材３Ａａは、実施形態１の保持部材３Ａに比べて、本体側固定部３１Ａの左右方向の寸法が短く形成されている。
【００５１】
器具本体１ａに光源ユニット２Ａを取り付ける場合、２つの保持部材３Ａａは、２つの保持部材３Ａａにおける第１本体側接続部３３Ａの間隔がＬ１となるように、器具本体１Ａに固定される（図４Ｂ参照）。これにより、保持部材３Ａａは、第１取付規格に対応した光源ユニット２Ａを保持することができる。つまり、器具本体１Ａに光源ユニット２Ａを取り付けることができる。
【００５２】
器具本体１Ａに光源ユニット２Ｂを取り付ける場合、２つの保持部材３Ａａは、２つの保持部材３Ａａにおける第２本体側接続部３４Ａの間隔がＬ２となるように、器具本体１に固定される（図４Ｃ参照）。これにより、保持部材３Ａａは、第２取付規格に対応した光源ユニット２Ｂを保持することができる。つまり、器具本体１Ａに光源ユニット２Ｂを取り付けることができる。
【００５３】
本変形例の保持部材３Ａａは、保持部材３Ａに比べてサイズを小さく構成することができるので、コストの低減を図ることができる。
【００５４】
（第２変形例）
次に、実施形態１の第２変形例に係る保持部材３Ａｂについて図５Ａ，５Ｂを参照して説明する。
【００５５】
本変形例の保持部材３Ａｂは、器具本体１Ａに対して固定される位置及び向きが可変となるように構成されている。本変形例の保持部材３Ａｂは、器具本体１Ａに第１取付規格の光源ユニット２Ａを取り付ける場合と、器具本体１Ａに第２取付規格の光源ユニット２Ｂを取り付ける場合とで、器具本体１Ａに固定される位置及び向きが互いに異なる。つまり、本体側固定部３１Ａは、第１本体側接続部３３Ａに第１光源側接続部４３Ａが機械的に接続される場合と、第２本体側接続部３４Ａに第２光源側接続部４４Ｂが機械的に接続される場合とで、器具本体１Ａに固定される位置及び向きが互いに異なる。
【００５６】
保持部材３Ａｂでは、第１本体側接続部３３Ａと第２本体側接続部３４Ａとが対向するように形成されている。
【００５７】
器具本体１Ａに光源ユニット２Ａを取り付ける場合、保持部材３Ａｂは、第１本体側接続部３３Ａが後側となる向きで器具本体１Ａに固定される（図５Ａ参照）。さらに、２つの保持部材３Ａｂは、２つの保持部材３Ａｂにおける第１本体側接続部３３Ａの間隔がＬ１（図４Ｂ参照）となるように器具本体１Ａに固定される。これにより、保持部材３Ａｂは、第１取付規格に対応した光源ユニット２Ａを保持することができる。つまり、器具本体１に光源ユニット２Ａを取り付けることができる。この場合、光源ユニット２Ａの光源側引掛部４３１Ａは、第２本体側接続部３４Ａの引掛孔３４３Ａの縁に引っ掛けられる。したがって、器具本体１Ａに引掛孔１１３が設けられていない場合であっても、光源ユニット２Ａを器具本体１Ａに取り付けることができる。
【００５８】
器具本体１Ａに光源ユニット２Ｂを取り付ける場合、保持部材３Ａｂは、第２本体側接続部３４Ａが左側又は右側となる向きで器具本体１Ａに固定される（図５Ｂ参照）。つまり、保持部材３Ａｂは、器具本体１に光源ユニット２Ａを取り付ける場合に対して、保持部材３Ａｂの向きが左右方向に９０度回転した状態で、器具本体１Ａに固定される。さらに、２つの保持部材３Ａｂは、２つの保持部材３Ａｂにおける第２本体側接続部３４Ａの間隔がＬ２（図４Ｃ参照）となるように器具本体１Ａに固定される。これにより、保持部材３Ａｂは、第２取付規格に対応した光源ユニット２Ｂを保持することができる。つまり、器具本体１Ａに光源ユニット２Ｂを取り付けることができる。
【００５９】
（実施形態２）
実施形態２に係る保持部材３Ｂについて図６Ａ〜７Ｂを参照して説明する。以下の説明では、実施形態１と同様の構成には共通の符号を付して説明を適宜省略する。
【００６０】
本実施形態では、器具本体１Ｂは、第１の取付規格及び第２の取付規格として第３取付規格と第４取付規格とに対応している。具体的には、器具本体１Ｂは、第３取付規格に対応した第３本体側接続部３５Ｂ（第１の光源側接続部）と、第４取付規格に対応した第４本体側接続部３６Ｂ（第２の光源側接続部）と、を有する保持部材３Ｂを備えている。したがって、本実施形態では、器具本体１Ｂに、第３取付規格に対応した光源ユニット２Ｃ（図６Ａ参照）と、第４取付規格に対応した光源ユニット２Ｄ（図７Ａ参照）と、を択一的に取り付けることができる。これにより、器具本体１Ｂと光源ユニット２Ｃ，２Ｄとの組み合わせの自由度を高めることができる。
【００６１】
光源ユニット２Ｃは、第３取付規格に対応した取付部材４Ｃを備えている（図６Ａ参照）。取付部材４Ｃは、第３光源側接続部４５Ｃ（第１の光源側接続部）を備えている（図６Ｂ参照）。第３光源側接続部４５Ｃは、光源側受け部４５１Ｃを有している。
【００６２】
光源側受け部４５１Ｃは、鉤形に形成された引掛金具である。光源側受け部４５１Ｃは、板金に曲げ加工を施すことにより形成されている。光源側受け部４５１Ｃは、前後方向の中央部分が上向きに凹んだ支持部４５２Ｃと、支持部４５２Ｃの左端又は右端から下方に突出した取付片４５３Ｃと、を有する。光源側受け部４５１Ｃは、光源ユニット２Ｃにおける底板２２の上面に設けられている。光源側受け部４５１Ｃは、後述する保持部材３Ｂの本体側引掛部３５１Ｂが引掛けられる。
【００６３】
光源ユニット２Ｃは、複数（ここでは２つ）の取付部材４Ｃを備えている。２つの取付部材４Ｃは、光源ユニット２Ｃにおける底板２２の上面において、左右両端の近傍に設けられている。
【００６４】
光源ユニット２Ｄは、第４取付規格に対応した取付部材４Ｄを備えている（図７Ａ参照）。取付部材４Ｄは、第４光源側接続部４６Ｄ（第２の光源側接続部）を備えている（図７Ｂ参照）。第４光源側接続部４６Ｄは、光源側受け部４６１Ｄを有している。
【００６５】
光源側受け部４６１Ｄは、前後方向の中央部分が上向きに凹んだ支持部４６２Ｄと、支持部４６２Ｄの左端又は右端から下方に突出した取付片４６３Ｄと、取付片４６３Ｄに形成された矩形状の取付孔４６４Ｄと、を有する。光源側受け部４６１Ｄは、光源ユニット２Ｄにおける底板２２の上面に設けられている。光源側受け部４６１Ｄは、後述する保持部材３Ｂの本体側引掛部３６１Ｂが引掛けられる。
【００６６】
光源ユニット２Ｄは、複数（ここでは２つ）の取付部材４Ｄを備えている。２つの取付部材４Ｄは、光源ユニット２Ｄにおける底板２２の上面において、左右両端の近傍に設けられている。
【００６７】
本実施形態の器具本体１Ｂは、第３取付規格と第４取付規格との両方に対応している。具体的には、第３取付規格と第４取付規格とに対応した保持部材３Ｂを備えている。
【００６８】
保持部材３Ｂは、本体側固定部３１Ｂと、本体側保持部３２Ｂと、を備えている。
【００６９】
本体側固定部３１Ｂは、矩形状の底板３１１Ｂと、底板３１１Ｂの前後両端から下方に突出した一対の側板３１２Ｂと、を有する。本体側固定部３１Ｂは、器具本体１Ｂに固定される。具体的には、本体側固定部３１Ｂは、器具本体１Ｂにおける凹部１１の底板１１１の下面に、ねじ等で固定される。
【００７０】
本体側保持部３２Ｂは、第３本体側接続部３５Ｂと、第４本体側接続部３６Ｂとを有している。第３本体側接続部３５Ｂと第４本体側接続部３６Ｂとは、対応する取付規格が互いに異なる。第３本体側接続部３５Ｂは、第３取付規格に対応している。第４本体側接続部３６Ｂは、第４取付規格に対応している。
【００７１】
第３本体側接続部３５Ｂは、光源ユニット２Ｃに設けられた取付部材４Ｃの第３光源側接続部４５Ｃと機械的に接続される。本体側保持部３２Ｂは、第３本体側接続部３５Ｂが取付部材４Ｃの第３光源側接続部４５Ｃと機械的に接続されることにより光源ユニット２Ｃを保持する。
【００７２】
第４本体側接続部３６Ｂは、光源ユニット２Ｄに設けられた取付部材４Ｄの第４光源側接続部４６Ｄと機械的に接続される。本体側保持部３２Ｂは、第４本体側接続部３６Ｂが取付部材４Ｄの第４光源側接続部４６Ｄと機械的に接続されることにより光源ユニット２Ｄを保持する。
【００７３】
第３本体側接続部３５Ｂは、本体側引掛部３５１Ｂを有する。本体側引掛部３５１Ｂは、ダブルトーションばねで構成されており、本体側固定部３１Ｂに設けられている。図６Ｂに示すように、本体側引掛部３５１Ｂは、光源ユニット２Ｃの光源側受け部４５１Ｃに引っ掛けられる。具体的には、本体側引掛部３５１Ｂは、光源側受け部４５１Ｃの取付片４５３Ｃに引っ掛けられる。
【００７４】
第４本体側接続部３６Ｂは、本体側引掛部３６１Ｂを有する。本体側引掛部３６１Ｂは、板ばねで構成されており、先端が鉤状に形成されている。本体側引掛部３６１Ｂは、本体側引掛部３５１と左右方向に並んで本体側固定部３１Ｂに設けられている。図７Ｂに示すように、本体側引掛部３６１Ｂは、光源ユニット２Ｄの光源側受け部４６１Ｄに引っ掛けられる。具体的には、本体側引掛部３６１Ｂは、光源側受け部４６１Ｄの取付孔４６４Ｄに通される。
【００７５】
器具本体１Ｂは、複数（ここでは２つ）の保持部材３Ｂを備えている。２つの保持部材３Ｂは、凹部１１の底板１１１において、左右両端の近傍に設けられている。
【００７６】
次に、器具本体１Ｂに、光源ユニット２Ｃ及び光源ユニット２Ｄを取り付ける方法について説明する。
【００７７】
器具本体１Ｂに、光源ユニット２Ｃを取り付ける場合、保持部材３Ｂの本体側引掛部３５１Ｂを、取付部材４Ｃの光源側受け部４５１Ｃに引っ掛ける。これにより、光源ユニット２Ｃが器具本体１Ｂに仮吊りされた状態となる。この状態で、光源ユニット２Ｃが器具本体１Ｂに向かって上方に押し込まれることにより、光源ユニット２Ｃが器具本体１Ｂ（保持部材３Ｂ）に保持される。
【００７８】
器具本体１Ｂに、光源ユニット２Ｄを取り付ける場合、保持部材３Ｂの本体側引掛部３６１Ｂを、取付部材４Ｄの光源側受け部４６１Ｄに引っ掛ける。これにより、光源ユニット２Ｄが器具本体１Ｂに仮吊りされた状態となる。この状態で、光源ユニット２Ｄが器具本体１Ｂに向かって上方に押し込まれることにより、光源ユニット２Ｄが器具本体１Ｂ（保持部材３Ｂ）に保持される。
【００７９】
このように、本実施形態の保持部材３Ｂは、第３取付規格に対応した第３本体側接続部３５Ｂと、第４取付規格に対応した第４本体側接続部３６Ｂと、を有している。したがって、保持部材３Ｂを備えた器具本体１Ｂに、第３取付規格に対応した第３光源側接続部４５Ｃを有する光源ユニット２Ｃと、第４取付規格に対応した第４光源側接続部４６Ｄを有する光源ユニット２Ｃとを択一的に取り付けることができる。これにより、器具本体１Ｂと光源ユニット２Ｃ，２Ｄとの組み合わせの自由度を高めることができる。
【００８０】
（第１変形例）
次に、実施形態２の第１変形例に係る保持部材３Ｂａについて図８Ａ，８Ｂを参照して説明する。
【００８１】
図６Ａ，７Ａに示すように、光源ユニット２Ｃにおける２つの取付部材４Ｃの間隔Ｌ３は、光源ユニット２Ｄにおける２つの取付部材４Ｃの間隔Ｌ４よりも短い。実施形態２の保持部材３Ｂは、器具本体１Ｂに対する位置が固定された状態で、第３取付規格に対応した光源ユニット２Ｃと、第４取付規格に対応した光源ユニット２Ｄとを択一的に保持可能に構成されている。
【００８２】
本変形例の保持部材３Ｂａは、器具本体１Ｂに対して固定される位置が可変となるように構成されている。本変形例の保持部材３Ｂａは、器具本体１Ｂに第３取付規格の光源ユニット２Ｃを取り付ける場合と、器具本体１Ｂに第４取付規格の光源ユニット２Ｄを取り付ける場合とで、器具本体１Ｂに固定される位置が互いに異なる。また、本変形例の保持部材３Ｂａでは、第４本体側接続部３６Ｂ（第１の本体側接続部）は、第３本体側接続部３５Ｂ（第２の本体側接続部）を兼用しており、第３光源側接続部４５Ｃ（第２の光源側接続部）と第４光源側接続部４６Ｄ（第１の光源側接続部）との両方と機械的に接続可能である。
【００８３】
また、保持部材３Ｂａは、実施形態２の保持部材３Ｂに比べて、本体側固定部３１Ｂの左右方向の寸法が短く形成されている。
【００８４】
図８Ａに示すように、器具本体１Ｂに光源ユニット２Ｃ（図６Ａ参照）を取り付ける場合、２つの保持部材３Ｂａは、２つの保持部材３Ｂａにおける第４本体側接続部３６Ｂの間隔がＬ３となるように、器具本体１Ｂに固定される。これにより、保持部材３Ｂａは、第３取付規格に対応した光源ユニット２Ｃを保持することができる。つまり、器具本体１Ｂに光源ユニット２Ｃを取り付けることができる。
【００８５】
図８Ｂに示すように、器具本体１Ｂに光源ユニット２Ｄ（図７Ａ参照）を取り付ける場合、２つの保持部材３Ｂａは、２つの保持部材３Ｂａにおける第４本体側接続部３６Ｂの間隔がＬ４となるように、器具本体１Ｂに固定される。これにより、保持部材３Ｂａは、第４取付規格に対応した光源ユニット２Ｄを保持することができる。つまり、器具本体１Ｂに光源ユニット２Ｄを取り付けることができる。
【００８６】
本変形例の保持部材３Ｂａは、保持部材３Ｂに比べてサイズを小さく構成し、第３本体側接続部３５Ｂが省略されるので、コストの低減を図ることができる。
【００８７】
なお、本変形例では、第４本体側接続部３６Ｂが第３本体側接続部３５Ｂの機能を兼用しているが、第４本体側接続部３６Ｂを省略して第３本体側接続部３５Ｂが第４本体側接続部３６Ｂの機能を兼用してもよい。
【００８８】
（第２変形例）
次に、実施形態２の第２変形例に係る保持部材３Ｂｂについて図８Ｃを参照して説明する。
【００８９】
実施形態２の第１変形例の保持部材３Ｂａは、器具本体１Ｂに対して固定される位置を可変とすることにより、第３取付規格に対応した光源ユニット２Ｃと、第４取付規格に対応した光源ユニット２Ｄとを択一的に保持可能に構成されている。
【００９０】
本変形例の保持部材３Ｂｂは、器具本体１Ｂに対する位置が固定された状態で、第３取付規格に対応した光源ユニット２Ｃと、第４取付規格に対応した光源ユニット２Ｄとを択一的に保持可能に構成されている。
【００９１】
保持部材３Ｂｂにおいて、第４本体側接続部３６Ｂｂは、第１変形例の第４本体側接続部３６ｂよりも長く形成されている。第４本体側接続部３６Ｂｂは、板ばねで構成されているので、光源ユニット２Ｃ又は光源ユニット２Ｄを仮吊りする際に、撓み量を調整することができる。本変形例では、２つの保持部材３Ｂｂは、２つの保持部材３Ｂｂにおける第４本体側接続部３６Ｂｂの間隔がＬ３となるように、器具本体１Ｂに固定される。これにより、器具本体１Ｂに、第３取付規格に対応した第３光源側接続部４５Ｃを有する光源ユニット２Ｃと、第４取付規格に対応した第４光源側接続部４６Ｄを有する光源ユニット２Ｃとを択一的に取り付けることができる。
【００９２】
本変形例の保持部材３Ｂｂは、保持部材３Ｂに比べてサイズを小さく構成することができるので、コストの削減を図ることができる。また、保持部材３Ｂｂは、器具本体１Ｂに対する位置が固定であるので、器具本体１Ｂに保持部材３Ｂｂを取り付ける際の施工性が向上する。
【００９３】
（実施形態３）
実施形態３に係る保持部材３Ｃについて図９Ａ，９Ｂを参照して説明する。
【００９４】
本実施形態の保持部材３Ｃは、第１取付規格〜第４取付規格の全てに対応している。
【００９５】
保持部材３Ｃは、本体側固定部３１Ｃと、本体側保持部３２Ｃと、を備えている。
【００９６】
本体側固定部３１Ｃは、矩形板状に形成されている。本体側固定部３１Ｃは、器具本体１Ｃに固定される。具体的には、本体側固定部３１Ｃは、器具本体１Ｃにおける凹部１１の底板１１１の下面に、ねじ等で固定される。
【００９７】
本体側保持部３２Ｃは、第１本体側接続部３３Ｃ〜第４本体側接続部３６Ｃを有している。第１本体側接続部３３Ｃ〜第４本体側接続部３６Ｃは、本体側固定部３１Ｃに設けられている。第１本体側接続部３３Ｃ及び第２本体側接続部３４Ｃは、それぞれ実施形態１の保持部材３Ａにおける第１本体側接続部３３Ａ及び第２本体側接続部３４Ａと同様の構成である。第３本体側接続部３５Ｃ及び第４本体側接続部３６Ｃは、それぞれ実施形態２の保持部材３Ｂにおける第３本体側接続部３５Ｂ及び第４本体側接続部３６Ｂと同様の構成である。ここでは、第１本体側接続部３３Ｃ〜第４本体側接続部３６Ｃの詳細な説明は省略する。
【００９８】
本実施形態の保持部材３Ｃにおいて、本体側保持部３２Ｃは、第１取付規格〜第４取付規格に対応した第１本体側接続部３３Ｃ〜第４本体側接続部３６Ｃを有している。したがって、保持部材３Ｃを備えた器具本体１Ｃに、第１取付規格〜第４取付規格にそれぞれ対応した光源ユニット２Ａ〜光源ユニット２Ｄを取り付けることができる。図９Ａでは、器具本体１Ｃに光源ユニット２Ａが取り付けられる場合を示している。本実施形態では、器具本体１Ｃと光源ユニット２Ａ〜２Ｄとの組み合わせの自由度をより高めることができる。
【００９９】
（第１変形例）
次に、実施形態３の第１変形例に係る保持部材３Ｃａについて図１０を参照して説明する。
【０１００】
本変形例の保持部材３Ｃａは、器具本体１Ｃに対して固定される位置が可変となるように構成されている。本変形例の保持部材３Ｃａは、器具本体１Ｃに光源ユニット２Ａ〜２Ｄのいずれを取り付けるかで、器具本体１Ｃに固定される位置が異なる。
【０１０１】
保持部材３Ｃａは、実施形態３の保持部材３Ｃに比べて、本体側固定部３１Ｃの左右方向の寸法が短く形成されている。また、保持部材３Ｃａは、実施形態３の保持部材３Ｃにおける第３本体側接続部３５Ｃが省略されており、第４本体側接続部３６Ｃが第３本体側接続部３５Ｃとしての機能を兼用する。
【０１０２】
保持部材３Ｃａは、器具本体１Ｃに取り付ける光源ユニット（２Ａ〜２Ｄ）の取付規格に応じて、器具本体１Ｃに対する位置を調整して器具本体１Ｃに固定される。例えば、第１取付規格に対応した光源ユニット２Ａ（図１Ａ参照）を器具本体１Ｃに取り付ける場合、２つの保持部材３Ｃａにおける第１本体側接続部３３Ｃの間隔がＬ１（図４Ｂ参照）となるように器具本体１Ｃに固定される。これにより、器具本体１Ｃに光源ユニット２Ａを取り付けることができる。同様に、２つの保持部材３Ｃａにおける第２本体側接続部３４Ｃ〜第４本体側接続部３６Ｃの間隔をＬ２〜Ｌ４（図４Ｂ，８Ａ，８Ｂ参照）となるように器具本体１Ｃに固定することにより、光源ユニット２Ｂ〜２Ｄ（図２Ａ，６Ａ，７Ａ参照）を取り付けることができる。
【０１０３】
これにより、器具本体１Ｃに、第１取付規格〜第４取付規格それぞれに対応した光源ユニット２Ａ〜光源ユニット２Ｄを取り付けることができる。
【０１０４】
本変形例の保持部材３Ｃａは、保持部材３Ｃに比べてサイズを小さく構成することができるので、コストの低減を図ることができる。
【０１０５】
（実施形態４）
実施形態４に係る保持部材３Ｄについて図１１を参照して説明する。
【０１０６】
本実施形態の保持部材３Ｄは、本体側固定部３１Ｄと、本体側保持部３２Ｄと、を備える。本体側固定部３１Ｄは、第２取付規格（第１の取付規格）に対応する第２本体側接続部３４Ｆ（第１の本体側接続部）を有する器具本体１Ｄに固定される。本体側保持部３２Ｄは、光源ユニット２Ａが取り付けられる。第２本体側接続部３４Ｆは、第２取付規格に対応し光源ユニット２Ｂに設けられた第２光源側接続部４４Ｂ（第１の光源側接続部）（図２Ａ参照）と機械的に接続可能である。本体側保持部３２Ｄは、第１取付規格（第２の取付規格）に対応し光源ユニット２Ａに設けられた第１本体側接続部３３Ｄ（第２の本体側接続部）を有する。第１本体側接続部３３Ｄは、第１取付規格に対応する第１光源側接続部４２Ａ（第２の光源側接続部）と機械的に接続可能である。
【０１０７】
本実施形態の器具本体１Ｄは、第１取付規格に対応した光源ユニット２Ａと、第２取付規格に対応した光源ユニット２Ｂ（図２Ａ参照）とを択一的に取り付けることができる。
【０１０８】
本体側固定部３１Ｄは、矩形板状に形成されている。本体側固定部３１Ｄは、器具本体１Ｄに固定される。具体的には、本体側固定部３１Ｄは、器具本体１Ｄにおける凹部１１の底板１１１の下面に、ねじ等で固定される。
【０１０９】
本体側保持部３２Ｄは、第１取付規格に対応している。本体側保持部３２Ｄは、第１本体側接続部３３Ｄを有している。第１本体側接続部３３Ｄは、本体側受け部３３１Ｄ，３３５Ｄを有する。
【０１１０】
本体側受け部３３１Ｄは、実施形態１の保持部材３Ａにおける本体側受け部３３１Ａと同様の構成であり、光源ユニット２Ａにおける取付部材４Ａの第１光源側接続部４３Ａの光源側引掛部４３２Ａが引掛けられる。
【０１１１】
本体側受け部３３５Ｄは、実施形態１の保持部材３Ａにおける本体側受け部３３５Ａ（図３参照）と同様の構成であり、光源ユニット２Ａにおける取付部材４Ａの第１光源側接続部４３Ａの光源側引掛部４３１Ａが引掛けられる。
【０１１２】
また、器具本体１Ｄは、第２取付規格に対応した保持部材３Ｆを有する。保持部材３Ｆは、第２本体側接続部３４Ｆを有しており、器具本体１Ｄにおける凹部１１の底板１１１の下面に、ねじ等で固定される。第２本体側接続部３４Ｆは、実施形態１における保持部材３Ａの第２本体側接続部３４Ａと同様の構成であり、光源ユニット２Ｂ（図２Ａ参照）における取付部材４Ｂの第２光源側接続部４４Ｂの光源側引掛部４４１Ｂが引掛けられる。
【０１１３】
本実施形態では、第２取付規格に対応した器具本体１Ｄに、第１取付規格に対応した保持部材３Ｄが固定される。これにより、保持部材３Ｄを備えた器具本体１Ｄに第１取付規格に対応した第１光源側接続部４３Ａを有する光源ユニット２Ａと、第２取付規格に対応した第２光源側接続部４４Ｂを有する光源ユニット２Ｂとを択一的に取り付けることができる。これにより、器具本体１Ｄと光源ユニット２Ａ，２Ｂとの組み合わせの自由度を高めることができる。
【０１１４】
本実施形態では、第２取付規格に対応した器具本体１Ｄに、第１取付規格に対応した保持部材３Ｄが設けられる場合を説明したが、これに限らず、器具本体と保持部材との取付規格が互いに異なっていればよい。例えば、第３又は第４取付規格に対応した器具本体に、第１取付規格に対応した保持部材３Ｄが設けられてもよい。
【０１１５】
（実施形態５）
次に、実施形態５に係る取付部材４Ｅについて図１２Ａ〜１３Ｂを参照して説明する。本実施形態に係る取付部材４は、器具本体１Ｅと光源ユニット２Ｅとを有する照明器具１０に用いられる。
【０１１６】
取付部材４Ｅは、光源側固定部４１Ｅと、光源側取付部４２Ｅと、を備える。光源側固定部４１Ｅは、光源ユニット２Ｅに固定される。光源側取付部４２Ｅは、器具本体１Ｅに取り付けられる。光源側取付部４２Ｅは、第１取付規格（第１の取付規格）に対応した第１光源側接続部４３Ｅ（第１の光源側接続部）と、第２取付規格（第２の取付規格）に対応した第２光源側接続部４４Ｅ（第２の光源側接続部）と、を有する。第１光源側接続部４３Ｅは、第１取付規格に対応し器具本体１Ｅに設けられた第１本体側接続部３３Ｅ（第１の本体側接続部）と機械的に接続可能である。第２光源側接続部４４Ｅは、第２取付規格に対応し器具本体１Ｆに設けられた第２本体側接続部３４Ｆ（第２の本体側接続部）と機械的に接続可能である。
【０１１７】
本実施形態の取付部材４Ｅは、第１取付規格に対応した第１光源側接続部４３Ｅと、第２取付規格に対応した第２光源側接続部４４Ｅと、を有している。したがって、光源ユニット２Ｅを、第１取付規格に対応した器具本体１Ｅと、第２取付規格に対応した器具本体１Ｆとを択一的に取り付けることができる。これにより、器具本体１Ｅ，１Ｆと光源ユニット２Ｅとの組み合わせの自由度を高めることができる。
【０１１８】
器具本体１Ｅ（図１２Ａ参照）は、第１取付規格に対応している。具体的には、器具本体１Ｅは、第１取付規格に対応した保持部材３Ｅを備えている。保持部材３Ｅは、第１本体側接続部３３Ｅを備えている。第１本体側接続部３３Ｅは、本体側受け部３３１Ｅを有する。本体側受け部３３１Ｅは、実施形態１の保持部材３Ａにおける本体側受け部３３１Ａに相当する。本体側受け部３３１Ｅは、器具本体１Ｅにおける凹部１１の底板１１１に固定されるＬ字状の支持片３３５Ｅと、支持片３３５Ｅの下端部から前方に突出した保持片３３６Ｅと、を有する。保持片３３６Ｅの左右両端部には、左右方向に向かった凹みが形成されている。図１２Ｂに示すように、本体側受け部３３１Ｅには、後述する取付部材４Ｅの光源側引掛部４３２Ｅが引っ掛けられる。
【０１１９】
器具本体１Ｅは、複数（ここでは２つ）の保持部材３Ｅを備えている。２つの保持部材３Ｅは、凹部１１の底板１１１において、左右両端の近傍に設けられている。
【０１２０】
器具本体１Ｆ（図１３Ａ参照）は、第２取付規格に対応している。具体的には、器具本体１Ｆは、第２取付規格に対応した保持部材３Ｆを備えている。保持部材３Ｆは、第２本体側接続部３４Ｆを備えている。第２本体側接続部３４Ｆは、本体側受け部３４１Ｆを有する。本体側受け部３４１Ｆは、実施形態１の保持部材３Ａにおける本体側受け部３４１Ａに相当する。本体側受け部３４１Ｆは、器具本体１Ｆにおける凹部１１の底板１１１に固定される矩形板状の支持片３４５Ｆと、支持片３４５Ｆの左端又は右端から下方に突出した側片３４２Ｆと、側片３４２Ｆに形成された引掛孔３４３Ｆと、側片３４２Ｆにおける引掛孔３４３Ｆの下端から上方に突出した引掛片３４４Ｆと、を有する。図１３Ｂに示すように、本体側受け部３４１Ｆには、後述する取付部材４Ｅの光源側引掛部４４１Ｅが引掛けられる。
【０１２１】
器具本体１Ｆは、複数（ここでは２つ）の保持部材３Ｆを備えている。２つの保持部材３Ｆは、凹部１１の底板１１１において、左右両端の近傍に設けられている。
【０１２２】
光源ユニット２Ｅは、複数（ここでは２つ）の取付部材４Ｅを備えている。２つの取付部材４Ｅは、光源ユニット２Ｅの底板２２の上面において、左右両端の近傍に設けられている。
【０１２３】
取付部材４Ｅは、光源側固定部４１Ｅと、光源側取付部４２Ｅと、を備えている。
【０１２４】
光源側固定部４１Ｅは、底板４１１Ｅと、底板４１１Ｅの前後両端から上方に突出した一対の側板４１２Ｅと、を有する。光源側固定部４１Ｅは、光源ユニット２Ｅに固定される。具体的には、光源側固定部４１Ｅは、光源ユニット２Ｅにおける底板２２の上面に、ねじ等で構成される。
【０１２５】
光源側取付部４２Ｅは、第１光源側接続部４３Ｅと、第２光源側接続部４４Ｅとを有している。第１光源側接続部４３Ｅと第２光源側接続部４４Ｅとは、対応する取付規格が互いに異なる。第１光源側接続部４３Ｅは、第１取付規格に対応している。第２光源側接続部４４Ｅは、第２取付規格に対応している。
【０１２６】
第１光源側接続部４３Ｅは、器具本体１Ｅに設けられた保持部材３Ｅの第１本体側接続部３３Ｅと機械的に接続される。取付部材４Ｅは、第１光源側接続部４３Ｅが保持部材３Ｅの第１本体側接続部３３Ｅと機械的に接続されることにより器具本体１Ｅに保持される。
【０１２７】
第２光源側接続部４４Ｅは、器具本体１Ｆに設けられた保持部材３Ｆの第２本体側接続部３４Ｆと機械的に接続される。取付部材４Ｅは、第１光源側接続部４３Ｅが保持部材３Ｆの第２本体側接続部３４Ｆと機械的に接続されることにより器具本体１Ｆに保持される。
【０１２８】
第１光源側接続部４３Ｅは、光源側引掛部４３１Ｅ，４３２Ｅを有する。光源側引掛部４３１Ｅは、先端が鉤形に形成された引掛金具である。光源側引掛部４３１Ｅは、先端部分（上端部分）が、底板２２の前端から上向きに突出した側板２３の上を乗り越えるように形成されている。光源側引掛部４３１Ｅは、光源側固定部４１Ｅに対して前後方向にスライド移動可能となるように、光源側固定部４１Ｅに設けられている。
【０１２９】
光源側引掛部４３２Ｅは、ねじりコイルばねで構成されている。光源側引掛部４３２Ｅは、光源側固定部４１Ｅの上面に設けられている。光源側引掛部４３２Ｅは、光源側引掛部４３１Ｅの後側に並んで設けられている。光源側引掛部４３２Ｅは、一方の端部が、上方に引き出されている。
【０１３０】
第２光源側接続部４４Ｅは、光源側引掛部４４１Ｅを有する。光源側引掛部４４１Ｅは、ダブルトーションばねで構成されている。光源側引掛部４４１Ｅは、光源側固定部４１Ｅの上面に設けられている。
【０１３１】
次に、光源ユニット２Ｅを、器具本体１Ｅ及び器具本体１Ｆに取り付ける方法について説明する。
【０１３２】
光源ユニット２Ｅを、器具本体１Ｅに取り付ける場合、取付部材４Ｅの光源側引掛部４３１Ｅを器具本体１Ｅの引掛孔１１３に引っ掛け、光源側引掛部４３２Ｅを保持部材３Ｅの本体側受け部３３１Ｅに引っ掛ける。これにより、光源ユニット２Ｅが器具本体１Ｅに仮吊りされた状態となる。この状態で、光源ユニット２Ｅが器具本体１Ｅに向かって上方に押し込まれることにより、光源ユニット２Ｅが器具本体１Ｅに保持される。
【０１３３】
光源ユニット２Ｅを、器具本体１Ｆに取り付ける場合、取付部材４Ｅの光源側引掛部４４１Ｅを、保持部材３Ｆの本体側受け部３４１Ｆに引っ掛ける。これにより、光源ユニット２Ｅが器具本体１Ｆに仮吊りされた状態となる。この状態で、光源ユニット２Ｅが器具本体１Ｆに向かって上方に押し込まれることにより、光源ユニット２Ｅが器具本体１Ｆに保持される。
【０１３４】
このように、本実施形態の取付部材４Ｅは、第１取付規格に対応した第１光源側接続部４３Ｅと、第２取付規格に対応した第２光源側接続部４４Ｅと、を有している。したがって、取付部材４Ｅを備えた光源ユニット２Ｅを、第１取付規格に対応した器具本体１Ｅと、第２取付規格に対応した器具本体１Ｆとを択一的に取り付けることができる。これにより、器具本体１Ｅ，１Ｆと光源ユニット２Ｅとの組み合わせの自由度を高めることができる。
【０１３５】
（第１変形例）
次に、実施形態５の第１変形例に係る取付部材４Ｅａについて図１４Ａ〜１４Ｃを参照して説明する。
【０１３６】
図１２Ａ，１３Ａに示すように、器具本体１Ｅにおける２つの保持部材３Ｅの間隔Ｌ１１は、器具本体１Ｆにおける２つの保持部材３Ｆの間隔Ｌ１２よりも短い。実施形態５の取付部材４Ｅは、光源ユニット２Ｅに対する位置が固定された状態で、第１取付規格に対応した器具本体１Ｅと、第２取付規格に対応した器具本体１Ｆとを択一的に取り付け可能に構成されている。
【０１３７】
本変形例の取付部材４Ｅａは、光源ユニット２Ｅに対して固定される位置が可変となるように構成されている。本変形例の取付部材４Ｅａは、光源ユニット２Ｅを第１取付規格の器具本体１Ｅに取り付ける場合と、光源ユニット２Ｅを第２取付規格の器具本体１Ｆに取り付ける場合とで、光源ユニット２Ｅに固定される位置が互いに異なる。つまり、光源側固定部４１Ｅは、第１光源側接続部４３Ｅに第１本体側接続部３３Ｅが機械的に接続される場合と、第２光源側接続部４４Ｅに第２本体側接続部３４Ｆが機械的に接続される場合とで、光源ユニット２Ｅに固定される位置が互いに異なる。
【０１３８】
取付部材４Ｅａは、実施形態５の取付部材４Ｅに比べて、光源側固定部４１の左右方向の寸法が短く形成されている。
【０１３９】
光源ユニット２Ｅを器具本体１Ｅに取り付ける場合、２つの取付部材４Ｅａは、２つの取付部材４Ｅａにおける第１光源側接続部４３Ｅの間隔がＬ１１となるように、光源ユニット２Ｅに固定される（図１４Ｂ参照）。これにより、取付部材４Ｅａを備えた光源ユニット２Ｅを、第１取付規格に対応した器具本体１Ｅに取り付けることができる。
【０１４０】
光源ユニット２Ｅを器具本体１Ｆに取り付ける場合、２つの取付部材４Ｅａは、２つの取付部材４Ｅａにおける第２光源側接続部４４Ｅの間隔がＬ１２となるように、光源ユニット２Ｅに固定される（図１４Ｃ参照）。これにより、取付部材４Ｅａを備えた光源ユニット２Ｅは、第１取付規格に対応した器具本体１Ｆに取り付けることができる。
【０１４１】
本変形例の取付部材４Ｅａは、取付部材４Ｅに比べてサイズを小さく構成することができるので、コストの低減を図ることができる。
【０１４２】
（実施形態６）
実施形態６に係る取付部材４Ｆについて図１５Ａ〜１６Ｂを参照して説明する。
【０１４３】
本実施形態では、光源ユニット２Ｆは、第１の取付規格及び第２の取付規格として第３取付規格と第４取付規格とに対応している。具体的には、光源ユニット２Ｆは、第３取付規格に対応した第３光源側接続部４５Ｆ（第１の光源側接続部）と、第４取付規格に対応した第４光源側接続部４６Ｆ（第２の光源側接続部）と、を有する取付部材４Ｆを備えている。したがって、本実施形態では、光源ユニット２Ｆを、第３取付規格に対応した器具本体１Ｇと、第４取付規格に対応した器具本体１Ｈとを択一的に取り付け可能となる。
【０１４４】
器具本体１Ｇは、第３取付規格に対応している。具体的には、器具本体１Ｇは、第３取付規格に対応した保持部材３Ｇを備えている。保持部材３Ｇは、第３本体側接続部３５Ｇ（第１の本体側接続部）を備えている。第３本体側接続部３５Ｇは、本体側引掛部３５１Ｇを有する。本体側引掛部３５１Ｇは、実施形態２の保持部材３Ｂにおける本体側引掛部３５１と同様の構成である。本体側引掛部３５１Ｇは、ダブルトーションばねで構成されている。本体側引掛部３５１Ｇは、取付部材４Ｆの光源側受け部４５１Ｆに引っ掛けられる。
【０１４５】
器具本体１Ｇは、複数（ここでは２つ）の保持部材３Ｇを備えている。２つの保持部材３Ｇは、凹部１１の底板１１１において、左右両端の近傍に設けられている。
【０１４６】
器具本体１Ｈは、第４取付規格に対応している。具体的には、器具本体１Ｈは、第４取付規格に対応した保持部材３Ｈを備えている。保持部材３Ｈは、第４本体側接続部３６Ｈ（第２の本体側接続部）を備えている。第４本体側接続部３６Ｈは、本体側引掛部３６１Ｈを有する。本体側引掛部３６１Ｈは、実施形態２の保持部材３Ｂにおける本体側引掛部３６１Ｂと同様の構成である。本体側引掛部３６１Ｈは、板ばねで構成されており、先端が鉤状に形成されている。本体側引掛部３６１Ｈは、取付部材４Ｆの光源側受け部４６１Ｆに引っ掛けられる。
【０１４７】
器具本体１Ｈは、複数（ここでは２つ）の保持部材３Ｈを備えている。２つの保持部材３Ｈは、凹部１１の底板１１１において、左右両端の近傍に設けられている。
【０１４８】
光源ユニット２Ｆは、複数（ここでは２つ）の取付部材４Ｆを備えている。２つの取付部材４Ｆは、光源ユニット２Ｆの底板２２の上面において、左右両端の近傍に設けられている。
【０１４９】
取付部材４Ｆは、光源側固定部４１Ｆと、光源側取付部４２Ｆと、を備えている。
【０１５０】
光源側固定部４１Ｆは、矩形板状に形成されている。光源側固定部４１Ｆは、光源ユニット２Ｆに固定される。具体的には、光源側固定部４１Ｆは、光源ユニット２Ｆにおける２２底板の上面に、ねじ等で構成される。
【０１５１】
光源側取付部４２Ｆは、第３光源側接続部４５Ｆと、第４光源側接続部４６Ｆとを有している。第３光源側接続部４５Ｆと第４光源側接続部４６Ｆとは、対応する取付規格が互いに異なる。第３光源側接続部４５Ｆは、第３取付規格に対応している。第４光源側接続部４６Ｆは、第４取付規格に対応している。
【０１５２】
第３光源側接続部４５Ｆは、器具本体１Ｇに設けられた保持部材３Ｇの第３本体側接続部３５Ｇと機械的に接続される。取付部材４Ｆは、第３光源側接続部４５Ｆが保持部材３Ｇの第３本体側接続部３５Ｇと機械的に接続されることにより器具本体１Ｇに保持される。
【０１５３】
第４光源側接続部４６Ｆは、器具本体１Ｈに設けられた保持部材３Ｈの第４本体側接続部３６Ｈと機械的に接続される。取付部材４Ｆは、第３光源側接続部４５Ｆが保持部材３Ｈの第４本体側接続部３６Ｈと機械的に接続されることにより器具本体１Ｈに保持される。
【０１５４】
第３光源側接続部４５Ｆは、光源側受け部４５１Ｆを有している。光源側受け部４５１Ｆは、光源側固定部４１Ｆの左端又は右端から上方に突出した矩形板状の支持片４５４Ｆと、支持片４５４Ｆに形成された取付孔４５５Ｆと、支持片４５４Ｆにおける取付孔４５５の上端から下方に突出した取付片４５６Ｆと、を有する。
【０１５５】
第４光源側接続部４６Ｆは、光源側受け部４６１Ｆを有している。光源側受け部４６１Ｆは、光源側固定部４１Ｆの上面から突出した矩形板状の支持片４６４Ｆと、支持片４６４に形成された矩形状の取付孔４６５Ｆと、を有する。
【０１５６】
次に、光源ユニット２Ｆを、器具本体１Ｇ及び器具本体１Ｈに取り付ける方法について説明する。
【０１５７】
光源ユニット２Ｆを器具本体１Ｇに取り付ける場合、取付部材４Ｆの光源側受け部４５１Ｆに、器具本体１Ｇの本体側引掛部３５１Ｇを引っ掛ける。これにより、光源ユニット２Ｆが器具本体１Ｇに仮吊りされた状態となる。この状態で、光源ユニット２Ｆが器具本体１Ｇに向かって上方に押し込まれることにより、光源ユニット２Ｆが器具本体１Ｇに保持される。
【０１５８】
光源ユニット２Ｆを器具本体１Ｈに取り付ける場合、取付部材４Ｆの光源側受け部４６１Ｆに、器具本体１Ｈの本体側引掛部３６１Ｈを引っ掛ける。これにより、光源ユニット２Ｆが器具本体１Ｈに仮吊りされた状態となる。この状態で、光源ユニット２Ｆが器具本体１Ｈに向かって上方に押し込まれることにより、光源ユニット２Ｆが器具本体１Ｈに保持される。
【０１５９】
このように、本実施形態の取付部材４Ｆは、第３取付規格に対応した第３光源側接続部４５Ｆと、第４取付規格に対応した第４光源側接続部４６Ｆと、を有している。したがって、取付部材４Ｆを備えた光源ユニット２Ｆを、第３取付規格に対応した第３本体側接続部３５Ｇを有する器具本体１Ｇと、第４取付規格に対応した第４本体側接続部３６Ｈを有する器具本体１Ｈとを択一的に取り付けることができる。これにより、器具本体１Ｇ，１Ｈと光源ユニット２Ｆとの組み合わせの自由度を高めることができる。
【０１６０】
（第１変形例）
次に、実施形態６の第１変形例に係る取付部材４Ｆａについて図１７Ａ〜１７Ｃを参照して説明する。
【０１６１】
図１５Ａに示すように、器具本体１Ｇにおける２つの保持部材３Ｇの間隔Ｌ１３は、器具本体１Ｈにおける保持部材３Ｆの間隔Ｌ１４よりも短い。実施形態６の取付部材４Ｆは、光源ユニット２Ｆに対する位置が固定された状態で、第３取付規格に対応した器具本体１Ｇと、第４取付規格に対応した器具本体１Ｈとを択一的に取り付け可能に構成されている。
【０１６２】
本変形例の取付部材４Ｆａは、光源ユニット２Ｆに対して固定される位置が可変となるように構成されている。本変形例の取付部材４Ｆａは、光源ユニット２Ｆを第３取付規格の器具本体１Ｇに取り付ける場合と、光源ユニット２Ｆを第４取付規格の器具本体１Ｈに取り付ける場合とで、光源ユニット２Ｆに固定される位置が互いに異なる。また、本変形例の取付部材４Ｆａでは、第３光源側接続部４５Ｆ（第１の光源側接続部）は、第４光源側接続部４６Ｆ（第２の光源側接続部）を兼用しており、第３本体側接続部３５Ｇ（第１の本体側接続部）と第４本体側接続部３６Ｈ（第２の本体側接続部）との両方と機械的に接続可能である。
【０１６３】
また、取付部材４Ｆａは、実施形態６の取付部材４Ｆに比べて、光源側固定部４１Ｆの左右方向の寸法が短く形成されている。
【０１６４】
光源ユニット２Ｆを器具本体１Ｇに取り付ける場合、２つの取付部材４Ｆａは、２つの取付部材４Ｆａにおける第３光源側接続部４５Ｆの間隔がＬ１３となるように、光源ユニット２Ｆに固定される（図１７Ｂ参照）。これにより、取付部材４Ｆａを備えた光源ユニット２Ｆを、第３取付規格に対応し器具本体１Ｇに取り付けることができる。
【０１６５】
光源ユニット２Ｆを器具本体１Ｈに取り付ける場合、２つの取付部材４Ｆａは、２つの取付部材４Ｆａにおける第３光源側接続部４５Ｆの間隔がＬ１４となるように、光源ユニット２Ｆに固定される（図１７Ｃ参照）。これにより、取付部材４Ｆａを備えた光源ユニット２Ｆを、第４取付規格に対応した器具本体１Ｈに取り付けることができる。
【０１６６】
本変形例の取付部材４Ｆａは、取付部材４Ｆに比べてサイズを小さく構成することができるので、コストの低減を図ることができる。
【０１６７】
（実施形態７）
実施形態７に係る取付部材４Ｇについて図１８Ａ，１８Ｂを参照して説明する。
【０１６８】
本実施形態では、光源ユニット２Ｇは、第１取付規格〜第４取付規格の全てに対応している。具体的には、光源ユニット２Ｇは、第１取付規格〜第４取付規格の全てに対応した取付部材４Ｇを備えている。
【０１６９】
取付部材４Ｇは、光源側固定部４１Ｇと、光源側取付部４２Ｇと、を備えている。
【０１７０】
光源側固定部４１Ｇは、底板４１１Ｇと、底板４１１Ｇの前後両端から上方に突出した一対の側板４１２Ｇと、を有する。光源側固定部４１Ｇは、光源ユニット２Ｇに固定される。具体的には、光源側固定部４１Ｇは、光源ユニット２Ｇにおける底板２２の上面に、ねじ等で構成される。
【０１７１】
光源側取付部４２Ｇは、第１光源側接続部４３Ｇ〜第４光源側接続部４６Ｇを有している。第１光源側接続部４３Ｇ〜第４光源側接続部４６Ｇは、光源側固定部４１Ｇに設けられている。第１光源側接続部４３Ｇ（光源側引掛部４３１Ｇ，４３２Ｇ）及び第２光源側接続部４４Ｇは、それぞれ実施形態５の取付部材４Ｅにおける第１光源側接続部４３Ｅ（光源側引掛部４３１Ｅ，４３２Ｅ）及び第２光源側接続部４４Ｅと同様の構成である。第３光源側接続部４５Ｇ及び第４光源側接続部４６Ｇは、それぞれ実施形態６の取付部材４Ｆにおける第３光源側接続部４５Ｆ及び第４光源側接続部４６Ｆと同様の構成である。ここでは、第１光源側接続部４３Ｇ〜第４光源側接続部４６Ｇの詳細な説明は省略する。
【０１７２】
本実施形態の取付部材４Ｇにおいて、光源側接続部４２Ｇは、第１取付規格〜第４取付規格に対応した第１光源側接続部４３Ｇ〜第４光源側接続部４６Ｇを有している。したがって、取付部材４Ｇを備えた光源ユニット２Ｇを、第１取付規格〜第４取付規格にそれぞれ対応した器具本体１Ｅ〜器具本体１Ｈに取り付けることができる。図１８Ａでは、光源ユニット２Ｇを器具本体１Ｅに取り付ける場合を示している。本実施形態では、器具本体１Ｅ〜１Ｈと光源ユニット２Ｇとの組み合わせの自由度をより高めることができる。
【０１７３】
（実施形態８）
実施形態８に係る取付部材４Ｈについて図１９を参照して説明する。
【０１７４】
本実施形態の取付部材４Ｈは、光源側固定部４１Ｈと、光源側取付部４２Ｈと、を備える。光源側固定部４１Ｈは、第２取付規格（第１の取付規格）に対応する第２光源側接続部４４Ｂ（第１の光源側接続部）を有する光源ユニット２Ｈに固定される。光源側取付部４２Ｈは、器具本体１Ｅに取り付けられる。第２光源側接続部４４Ｈは、第２取付規格に対応し器具本体１Ｆに設けられた第２本体側接続部３４Ｆ（第１の本体側接続部）（図１３Ａ参照）と機械的に接続可能である。光源側取付部４２Ｈは、第１取付規格（第２の取付規格）に対応した第１光源側接続部４３Ｈ（第２の光源側接続部）を有する。第１光源側接続部４３Ｈは、第１取付規格に対応し器具本体１Ｅに設けられた第１本体側接続部３３Ｅ（第２の本体側接続部）と機械的に接続可能である。
【０１７５】
本実施形態の光源ユニット２Ｈは、第１取付規格に対応した器具本体１Ｅと、第２取付規格に対応した器具本体１Ｆ（図１３Ａ参照）とを択一的に取り付けることができる。
【０１７６】
光源側固定部４１Ｈは、底板４１１Ｈと、底板４１１Ｈの前後両端から上方に突出した一対の側板４１２Ｈと、を有する。光源側固定部４１Ｈは、光源ユニット２Ｈに固定される。具体的には、光源側固定部４１Ｈは、光源ユニット２Ｈにおける底板２２の上面に、ねじ等で構成される。
【０１７７】
光源側取付部４２Ｈは、第１取付規格に対応している。光源側取付部４２Ｈは、第１光源側接続部４３Ｈを有している。第１光源側接続部４３Ｈは、実施形態５の取付部材４Ｅにおける第１光源側接続部４３Ｅと同様の構成であり、光源側引掛部４３１Ｈ，４３２Ｈを有する。
【０１７８】
光源側引掛部４３１Ｈは、先端が鉤形に形成された引掛金具である。光源側引掛部４３１Ｈは、先端部分（上端部分）が、底板２２の前端から上向きに突出した側板２３の上を乗り越えるように形成されている。光源側引掛部４３１Ｈは、光源側固定部４１Ｈに対して前後方向にスライド移動可能となるように、光源側固定部４１Ｈに設けられている。光源側引掛部４３１Ｈは、器具本体１Ｈの引掛孔１３１の縁に引っ掛けられる。
【０１７９】
光源側引掛部４３２Ｈは、ねじりコイルばねで構成されている。光源側引掛部４３２Ｈは、光源側固定部４１Ｈの上面に設けられている。光源側引掛部４３２Ｈは、光源側引掛部４３１Ｈの後側に並んで設けられている。光源側引掛部４３２Ｈは、一方の端部が、上方に引き出されている。光源側引掛部４３２Ｈは、器具本体１Ｅに設けられた保持部材３Ｅの第１本体側接続部３３Ｅに引っ掛けられる。
【０１８０】
また、光源ユニット２Ｈは、第２取付規格に対応した取付部材４Ｂを有する。取付部材４Ｂは、第２光源側接続部４４Ｂを有しており、光源ユニット２Ｈの底板２２の上面に、ねじ等で固定される。第２光源側接続部４４Ｂは、器具本体１Ｆ（図１３Ａ参照）における保持部材３Ｆの第２本体側接続部３４Ｆに引っ掛けられる。
【０１８１】
本実施形態では、第２取付規格に対応している光源ユニット２Ｈに、第１取付規格に対応した取付部材４Ｈが固定される。これにより、取付部材４Ｈを備えた光源ユニット２Ｈを、第１取付規格に対応した第１本体側接続部３３Ｅを有する器具本体１Ｅと、第２取付規格に対応した第２本体側接続部３４Ｆを有する器具本体１Ｆと、を択一的に取り付けることができる。これにより、器具本体１Ｅ，１Ｆと光源ユニット２Ｈとの組み合わせの自由度を高めることができる。
【０１８２】
本実施形態では、第２取付規格に対応した光源ユニット２Ｈに、第１取付規格に対応した取付部材４Ｈが設けられる場合を説明したが、これに限らず、光源ユニットと取付部材との取付規格が互いに異なっていればよい。例えば、第３又は第４取付規格に対応した光源ユニットに、第１取付規格に対応した取付部材４Ｈが設けられてもよい。
【０１８３】
（まとめ）
第１態様に係る保持部材（３Ａ〜３Ｃ，３Ａａ，３Ａｂ，３Ｂａ，３Ｃａ）は、本体側固定部（３１Ａ〜３１Ｃ）と、本体側保持部（３２Ａ〜３２Ｃ）と、を備えている。本体側固定部（３１Ａ〜３１Ｃ）は、器具本体（１Ａ〜１Ｃ）に固定される。本体側保持部（３２Ａ〜３２Ｃ）は、光源ユニット（２Ａ〜２Ｄ）が取り付けられる。本体側保持部（３２Ａ〜３２Ｃ）は、第１の取付規格に対応した第１の本体側接続部（３３Ａ，３４Ａ，３５Ｂ，３６Ｂ，３６Ｂｂ，３３Ｃ〜３６Ｃ）と、第２の取付規格に対応した第２の本体側接続部（３３Ａ，３４Ａ，３５Ｂ，３６Ｂ，３６Ｂｂ，３３Ｃ〜３６Ｃ）と、を有する。第１の本体側接続部（３３Ａ，３４Ａ，３５Ｂ，３６Ｂ，３６Ｂｂ，３３Ｃ〜３６Ｃ）は、第１の取付規格に対応し光源ユニット（２Ａ〜２Ｄ）に設けられた第１の光源側接続部（４３Ａ，４４Ｂ，４５Ｃ，４６Ｄ）と機械的に接続可能である。第２の本体側接続部（３３Ａ，３４Ａ，３５Ｂ，３６Ｂ，３６Ｂｂ，３３Ｃ〜３６Ｃ）は、第２の取付規格に対応し光源ユニット（２Ａ〜２Ｄ）に設けられた第２の光源側接続部（４３Ａ，４４Ｂ，４５Ｃ，４６Ｄ）と機械的に接続可能である。
【０１８４】
この態様によれば、器具本体（１Ａ〜１Ｃ）に、第１の取付規格に対応した光源ユニット（２Ａ〜２Ｄ）と、第２の取付規格に対応した光源ユニット（２Ａ〜２Ｄ）とを択一的に取り付けることができ、器具本体（１Ａ〜１Ｃ）と光源ユニット（２Ａ〜２Ｄ）との組み合わせの自由度を高めることができる。
【０１８５】
第２態様に係る保持部材（３Ｂｂ，３Ｃａ）では、第１態様において、第１の本体側接続部（３６Ｂｂ，３６Ｃ）は、第２の本体側接続部（３６Ｂｂ，３６Ｃ）を兼用しており、第１の光源側接続部（４５Ｃ，４６Ｄ）と第２光源側接続部（４５Ｃ，４６Ｄ）との両方と機械的に接続可能である。
【０１８６】
この態様によれば、保持部材（３Ｂｂ，３Ｃａ）の小型化を図ることができる。
【０１８７】
第３態様に係る保持部材（３Ａａ，３Ａｂ，３Ｂａ，３Ｃａ）では、第１又は第２態様において、本体側固定部（３１Ａ〜３１Ｃ）は、第１の本体側接続部（３３Ａ，３４Ａ，３５Ｂ，３６Ｂ，３６Ｂｂ，３３Ｃ〜３６Ｃ）に第１の光源側接続部（４３Ａ，４４Ｂ，４５Ｃ，４６Ｄ）が機械的に接続される場合と、第２の本体側接続部（３３Ａ，３４Ａ，３５Ｂ，３６Ｂ，３６Ｂｂ，３３Ｃ〜３６Ｃ）に第２の光源側接続部（４３Ａ，４４Ｂ，４５Ｃ，４６Ｄ）が機械的に接続される場合とで、器具本体（１Ａ〜１Ｃ）に固定される位置と向きとの少なくとも一方が互いに異なる。
【０１８８】
この態様によれば、保持部材（３Ａａ，３Ａｂ，３Ｂａ，３Ｃａ）の小型化を図ることができる。
【０１８９】
第４態様に係る保持部材（３Ｄ）は、本体側固定部（３１Ｄ）と、本体側保持部（３２Ｄ）と、を備える。本体側固定部（３１Ｄ）は、第１の取付規格に対応する第１の本体側接続部（３４Ｆ）を有する器具本体（１Ｄ）に固定される。本体側保持部（３２Ｄ）は、光源ユニット（２Ａ）が取り付けられる。第１の本体側接続部（３４Ｆ）は、第１の取付規格に対応し光源ユニット（２Ｂ）に設けられた第１の光源側接続部４４Ｂと機械的に接続可能である。本体側保持部（３２Ｄ）は、第２の取付規格に対応した第２の本体側接続部（３３Ｄ）を有する。第２の本体側接続部（３３Ｄ）は、第２の取付規格に対応し光源ユニット（２Ａ）に設けられた第２の光源側接続部（４３Ａ）と機械的に接続可能である。
【０１９０】
この態様によれば、器具本体（１Ｄ）は、第１の取付規格に対応した光源ユニット（２Ｂ）と、第２の取付規格に対応した光源ユニット（２Ａ）とを択一的に取り付けることができ、器具本体（１Ｄ）と光源ユニット（２Ａ，２Ｂ）との組み合わせの自由度を高めることができる。
【０１９１】
第５態様に係る器具本体（１Ａ〜１Ｄ）は、第１〜第４態様のいずれかの保持部材（３Ａ〜３Ｃ，３Ａａ，３Ａｂ，３Ｂａ，３Ｃａ，３Ｄ）と、保持部材（３Ａ〜３Ｃ，３Ａａ，３Ａｂ，３Ｂａ，３Ｃａ，３Ｄ）が固定された本体側固定部（底板１１１）とを備える。
【０１９２】
この態様によれば、器具本体（１Ａ〜１Ｄ）と光源ユニット（２Ａ〜２Ｄ）との組み合わせの自由度を高めることができる。
【０１９３】
第６態様に係る取付部材（４Ｅ〜４Ｇ，４Ｅａ，４Ｆａ）は、光源側固定部（４１Ｅ〜４１Ｇ）と、光源側取付部（４２Ｅ〜４２Ｇ）と、を備える。光源側固定部（４１Ｅ〜４１Ｇ）は、光源ユニット（２Ｅ〜２Ｇ）に固定される。光源側取付部（４２Ｅ〜４２Ｇ）は、器具本体（１Ｅ〜１Ｈ）に取り付けられる。光源側取付部（４２Ｅ〜４２Ｇ）は、第１の取付規格に対応した第１の光源側接続部（４３Ｅ，４４Ｅ，４５Ｆ，４６Ｆ，４３Ｇ〜４６Ｇ）と、第２の取付規格に対応した第２の光源側接続部（４３Ｅ，４４Ｅ，４５Ｆ，４６Ｆ，４３Ｇ〜４６Ｇ）と、を有する。第１の光源側接続部（４３Ｅ，４４Ｅ，４５Ｆ，４６Ｆ，４３Ｇ〜４６Ｇ）は、第１の取付規格に対応し器具本体（１Ｅ〜１Ｈ）に設けられた第１の本体側接続部（３３Ｅ，３４Ｆ，３５Ｇ，３６Ｈ）と機械的に接続可能である。第２の光源側接続部（４３Ｅ，４４Ｅ，４５Ｆ，４６Ｆ，４３Ｇ〜４６Ｇ）は、第２の取付規格に対応し器具本体（１Ｅ〜１Ｈ）に設けられた第２の本体側接続部（３３Ｅ，３４Ｆ，３５Ｇ，３６Ｈ）と機械的に接続可能である。
【０１９４】
この態様によれば、光源ユニット（２Ｅ〜２Ｇ）を、第１の取付規格に対応した器具本体（１Ｅ〜１Ｈ）と、第２の取付規格に対応した器具本体（１Ｅ〜１Ｈ）とを択一的に取り付けることができる。これにより、器具本体（１Ｅ〜１Ｈ）と光源ユニット（２Ｅ〜２Ｇ）との組み合わせの自由度を高めることができる。
【０１９５】
第７態様に係る取付部材（４Ｆａ）は、第６態様において、第１の光源側接続部（４６Ｆ）は、第２の光源側接続部（４５Ｆ）を兼用しており、第１の本体側接続部（３５Ｇ，３６Ｈ）と第２の本体側接続部（３５Ｇ，３６Ｈ）との両方と機械的に接続可能である。
【０１９６】
この態様によれば、取付部材（４Ｆａ）の小型化を図ることができる。
【０１９７】
第８態様に係る取付部材（４Ｅａ，４Ｆａ）は、第６又は第７態様において、光源側固定部（４１Ｅ，４１Ｆ）は、第１の光源側接続部（４３Ｅ，４４Ｅ，４５Ｆ，４６Ｆ）に第１の本体側接続部（３３Ｅ，３４Ｆ，３５Ｇ，３６Ｈ）が機械的に接続される場合と、第２の光源側接続部（４３Ｅ，４４Ｅ，４５Ｆ，４６Ｆ）に第２の本体側接続部（３３Ｅ，３４Ｆ，３５Ｇ，３６Ｈ）が機械的に接続される場合とで、光源ユニット（２Ｅ，２Ｆ）に固定される位置が互いに異なる。
【０１９８】
この態様によれば、取付部材（４Ｅａ，４Ｆａ）の小型化を図ることができる。
【０１９９】
第９態様に係る取付部材（４Ｈ）は、光源側固定部（４１Ｈ）と、光源側取付部（４２Ｈ）と、を備える。光源側固定部（４１Ｈ）は、第１の取付規格に対応する第１の光源側接続部（４４Ｂ）を有する光源ユニット（２Ｈ）に固定される。光源側取付部（４２Ｈ）は、器具本体（１Ｅ）に取り付けられる。第１の光源側取付部（４４Ｂ）は、第１の取付規格に対応し器具本体（１Ｆ）に設けられた第１の本体側接続部（３４Ｆ）と機械的に接続可能である。光源側取付部（４２Ｈ）は、第２の取付規格に対応した第２の光源側接続部（４３Ｈ）を有する。第２の光源側接続部（４３Ｈ）は、第２の取付規格に対応し器具本体（１Ｅ）に設けられた第２の本体側接続部（３３Ｅ）と機械的に接続可能である。
【０２００】
この態様によれば、光源ユニット（２Ｈ）を、第１の取付規格に対応した器具本体（１Ｆ）と、第２の取付規格に対応した器具本体（１Ｅ）とを択一的に取り付けることができ、器具本体（１Ｅ，１Ｆ）と光源ユニット（２Ｈ）との組み合わせの自由度を高めることができる。
【０２０１】
第１０態様に係る光源ユニット（２Ｅ〜２Ｈ）は、第６〜第９態様のいずれかの取付部材（４Ｅ〜４Ｈ）と、取付部材（４Ｅ〜４Ｈ）が固定された光源固定部（底板２２）が固定されている。
【０２０２】
この態様によれば、器具本体（１Ｅ〜１Ｈ）と光源ユニット（２Ｅ〜２Ｈ）との組み合わせの自由度を高めることができる。
【符号の説明】
【０２０３】
３Ａ〜３Ｃ，３Ａａ，３Ａｂ，３Ｂａ，３Ｃａ  保持部材
３１Ａ〜３１Ｄ  本体側固定部
３２Ａ〜３２Ｄ  本体側保持部
３３Ａ，３３Ｃ，３３Ｄ，３３Ｅ  第１本体側接続部（第１，第２の本体側接続部）
３４Ａ，３４Ｃ，３４Ｆ  第２本体側接続部（第１，第２の本体側接続部）
３５Ｂ，３５Ｃ，３５Ｇ  第３本体側接続部（第１，第２の本体側接続部）
３６Ｂ，３６Ｂｂ，３６Ｃ，３６Ｈ  第４本体側接続部（第１，第２の本体側接続部）
４３Ａ，４３Ｅ，４３Ｇ，４３Ｈ  第１光源側接続部（第１，第２の光源側接続部）
４４Ｂ，４４Ｅ，４４Ｇ  第２光源側接続部（第１，第２の光源側接続部）
４５Ｃ，４５Ｆ，４５Ｇ  第３光源側接続部（第１，第２の光源側接続部）
４６Ｄ，４６Ｆ，４６Ｇ  第４光源側接続部（第１，第２の光源側接続部）
１Ａ〜１Ｈ  器具本体
２Ａ〜２Ｈ  光源ユニット
４Ｅ〜４Ｇ，４Ｅａ，４Ｆａ，４Ｈ  取付部材
４１Ｅ〜４１Ｈ  光源側固定部
４２Ｅ〜４２Ｈ  光源側取付部
１１１  底板（本体固定部）
２２  底板（光源固定部）
【図１】
2019153511.tif 000003
【図２】
2019153511.tif 000004
【図３】
2019153511.tif 000005
【図４】
2019153511.tif 000006
【図５】
2019153511.tif 000007
【図６】
2019153511.tif 000008
【図７】
2019153511.tif 000009
【図８】
2019153511.tif 000010
【図９】
2019153511.tif 000011
【図１０】
2019153511.tif 000012
【図１１】
2019153511.tif 000013
【図１２】
2019153511.tif 000014
【図１３】
2019153511.tif 000015
【図１４】
2019153511.tif 000016
【図１５】
2019153511.tif 000017
【図１６】
2019153511.tif 000018
【図１７】
2019153511.tif 000019
【図１８】
2019153511.tif 000020
【図１９】
2019153511.tif 000021